(57)【特許請求の範囲】
【請求項１】
複数の針棒に対応する複数の天秤を備えた可動ブロックが、ヘッド本体に対して選択的に移動されることによって、いずれかの前記天秤が選択駆動可能となる多針ミシンの天秤機構において、
前記可動ブロック（３）が正面長方形状の枠体であり、該可動ブロック（３）の左右の縦枠部に正面側から切欠部（３ａ）が凹設され、
前記可動ブロック（３）の左右の縦枠部の内側に入り込む間隔をなす一対の腕部（１６）を備えた天秤ブラケット（１４）が形成され、該一対の腕部（１６）に前記複数の天秤（６）が回動自在に支持されるとともに分離しないように一体化され、
前記可動ブロック（３）の左右の縦枠部の内側に前記一対の腕部（１６）が入り込んだ状態で、前記天秤ブラケット（１４）の左右の端部が前記可動ブロック（３）の左右の切欠部（３ａ）に正面側から嵌められ着脱可能に取付けられたことを特徴とする多針ミシンの天秤機構。
【請求項２】
複数の針棒に対応する複数の天秤を備え、該複数の天秤が一つの支持軸により回動自在にまとめて支持された可動ブロックが、ヘッド本体に対して選択的に移動されることによって、いずれかの前記天秤が選択駆動可能となる多針ミシンの天秤機構において、
前記可動ブロック（３）が正面長方形状の枠体であり、該可動ブロック（３）の左右の縦枠部に正面側から切欠部（３ａ）が凹設され、
前記可動ブロック（３）の左右の縦枠部の内側に入り込む間隔をなす一対の腕部（１６）を備えた天秤ブラケット（１４）が形成され、該一対の腕部（１６）に前記複数の天秤（６）が回動自在に支持されるとともに分離しないように一体化され、
前記腕部（１６）に設けられた支持穴（１６ｂ）に割カラー（１８）が配され、該割カラー（１８）に前記支持軸（１５）が挿通され、該割カラー（１８）と前記支持軸（１５）とを固定する雄ねじ（２２）が設けられ、該割カラー（１８）の固定位置を調節することによって、前記支持軸（１５）方向の前記複数の天秤（６）間のがたを防止するように構成され、
前記可動ブロック（３）の左右の縦枠部の内側に前記一対の腕部（１６）が入り込んだ状態で、前記天秤ブラケット（１４）の左右の端部が前記可動ブロック（３）の左右の切欠部（３ａ）に正面側から嵌められ着脱可能に取付けられたことを特徴とする多針ミシンの天秤機構。
【発明の詳細な説明】
【０００１】
【発明の属する技術分野】
本発明は、多針ミシンにおいて各針棒に対応して設けられたいずれかの天秤が針棒とともに選択的に駆動される天秤機構に関するものである。
【０００２】
【従来の技術】
従来の多針ミシンの天秤機構としては、例えば、特開昭５９−１８１１９５号公報に記載されたものがある。図６に示すように、この天秤機構５０は一つのヘッドを構成しているヘッド本体５１に対して可動ブロック５２をスライド操作することにより、可動ブロック５２に備えてある複数本の針棒５３のうちの一本を選択して駆動させ得ると共に、可動ブロック５２に各針棒５３と対応する数の天秤５４をそれぞれ単独で作動し得るようになっている。
【０００３】
この天秤機構５０においては、可動ブロック５２の上部において、可動ブロック５２のスライド方向に一本の支持軸５５が貫設されている。そして、各天秤５４は支持軸５５を中心に回動自在に支持されており、支持軸５５の両端は雄ねじ５７により可動ブロック５２に固定されている。なお、支持軸５５の一端側の天秤５４と可動ブロック５２の内壁との間には、支持軸方向の天秤５４間のがたをなくすようにワッシャ５６が配されている。
【０００４】
【発明が解決しようとする課題】
ところで、例えば、天秤機構５０、その背後にあるもの、又は、針棒５３等の天秤機構５０の下方にあるものが故障した場合に、これらをメンテナンスしようとすると、天秤機構５０を取り外す必要がある。ところが、従来の天秤機構５０は一本の支持軸５５によりすべての天秤５４が支持されているため、支持軸５５を取り外すと、複数の天秤５４がばらばらになってしまい、取り外しが面倒であった。さらに、その後に天秤機構５０を組み立て直すのに手間がかかっていた。
【０００５】
また、前記天秤５４間のがたは、製造誤差による可動ブロック５２の寸法のバラツキや、長期的に使用したときの可動ブロック５２の内壁や天秤５４の摩耗によって各ミシンごとに異なっており、これをワッシャ５６により木目細かに調整するのは困難であった。
【０００６】
本発明の目的は、上記課題を解決し、メンテナンスが容易な多針ミシンの天秤機構を提供することにある。
【０００７】
【課題を解決するための手段】
上記目的を達成するために、本発明の多針ミシンの天秤機構は、複数の針棒に対応する複数の天秤を備えた可動ブロックが、ヘッド本体に対して選択的に移動されることによって、いずれかの前記天秤が選択駆動可能となる多針ミシンの天秤機構において、前記可動ブロック（３）が正面長方形状の枠体であり、該可動ブロック（３）の左右の縦枠部に正面側から切欠部（３ａ）が凹設され、前記可動ブロック（３）の左右の縦枠部の内側に入り込む間隔をなす一対の腕部（１６）を備えた天秤ブラケット（１４）が形成され、該一対の腕部（１６）に前記複数の天秤（６）が回動自在に支持されるとともに分離しないように一体化され、前記可動ブロック（３）の左右の縦枠部の内側に前記一対の腕部（１６）が入り込んだ状態で、前記天秤ブラケット（１４）の左右の端部が前記可動ブロック（３）の左右の切欠部（３ａ）に正面側から嵌められ着脱可能に取付けられたことを特徴とする。
【０００９】
また、本発明の多針ミシンの天秤機構は、複数の針棒に対応する複数の天秤を備え、該複数の天秤が一つの支持軸により回動自在にまとめて支持された可動ブロックが、ヘッド本体に対して選択的に移動されることによって、いずれかの前記天秤が選択駆動可能となる多針ミシンの天秤機構において、前記可動ブロック（３）が正面長方形状の枠体であり、該可動ブロック（３）の左右の縦枠部に正面側から切欠部（３ａ）が凹設され、前記可動ブロック（３）の左右の縦枠部の内側に入り込む間隔をなす一対の腕部（１６）を備えた天秤ブラケット（１４）が形成され、該一対の腕部（１６）に前記複数の天秤（６）が回動自在に支持されるとともに分離しないように一体化され、前記腕部（１６）に設けられた支持穴（１６ｂ）に割カラー（１８）が配され、該割カラー（１８）に前記支持軸（１５）が挿通され、該割カラー（１８）と前記支持軸（１５）とを固定する雄ねじ（２２）が設けられ、該割カラー（１８）の固定位置を調節することによって、前記支持軸（１５）方向の前記複数の天秤（６）間のがたを防止するように構成され、前記可動ブロック（３）の左右の縦枠部の内側に前記一対の腕部（１６）が入り込んだ状態で、前記天秤ブラケット（１４）の左右の端部が前記可動ブロック（３）の左右の切欠部（３ａ）に正面側から嵌められ着脱可能に取付けられたことを特徴とする。
【００１１】
【発明の実施の形態】
以下、本発明を実施した形態例について、図面を参照して説明する。
まず、図１〜図５は本発明の実施形態の多針刺繍ミシンの刺繍ヘッド１を示している。該刺繍ヘッド１は、図１及び図２に示すようにテーブル（図示略）上に固定され、ミシンの駆動力を伝達する上軸１０が内蔵されたヘッド本体２を備えており、ヘッド本体２の前側には可動ブロック３が上軸１０と直交かつ水平方向にスライド移動可能に設けられている。
【００１２】
可動ブロック３の下部側には９本の針棒４が上下動可能に支持され、各針棒４の下端には針９が止着されている。また、可動ブロック３の上部には、各針棒４に対応した９つの天秤６を備えた天秤機構５が設けられている。そして、可動ブロック３の選択的なスライド移動によりヘッド本体２の前面中央に移動された一本の針棒４と該針棒４に対応する一つの天秤６とが選択され、ヘッド本体２に設けられた針棒駆動機構２４と天秤駆動機構２５とによって、それぞれ駆動されるようになっている。
【００１３】
針棒駆動機構２４は、上軸１０の回転動をスライダクランク機構によって昇降体１２の上下動に変え、昇降体１２に設けられた係合子１３に係合する一本の針棒４を上下駆動するようになっている。また、天秤駆動機構２５は、上軸１０の回転動を円筒カム２６を介して曲がりてこ２８の揺動に変え、該てこ２８の先端に設けられた天秤駆動コロ１９に係合する一つの天秤６を駆動するようになっている。
【００１４】
天秤機構５は一体化部材である天秤ブラケット１４を備え、該天秤ブラケット１４には、９つの天秤６が一本の支持軸１５により回動可能に支持されるようになっている。天秤ブラケット１４は、その両側に一対の腕部１６を備えており、両腕部１６には支持軸１５が挿通される支持穴１６ａ，１６ｂがそれぞれ設けられている。一方の腕部１６の支持穴１６ａの内径は、支持軸１５の外径と略同径にされているが、他方の腕部１６の支持穴１６ｂの内径は、支持軸１５の外径より拡径されており、支持軸１５に後述する割カラー１８が外嵌された状態で挿通可能になっている。
【００１５】
天秤６は、図２に示すように支持軸１５が挿通される軸穴６ｂと、天秤駆動コロ１９に係合する切欠６ｃと、上糸が挿通される糸通し穴６ａとを備えている。
【００１６】
そして、図５に示すように９つの天秤６と、各天秤６の間に配された８個の天秤スペーサ２０とが、前記天秤ブラケット１４の両腕部１６の間に一列に配されるとともに、これらの両端側に一対のワッシャ２１が配され、さらに、他方の腕部１６の支持穴１６ｂには割カラー１８が配される。この状態で、これらに一方の腕部１６の支持穴１６ａから支持軸１５が挿通され、図４及び図５に示すように支持穴１６ａ側の支持軸１５の端部が雄ねじ２２によって腕部１６に固定される。一方、支持穴１６ｂ側の支持軸１５の端部については、まず、割カラー１８が天秤側に押し付けられて支持軸方向の天秤間のがたが除かれ、この状態で雄ねじ２２によって割カラー１８と、該割カラー１８に挿通された支持軸１５の端部とが腕部１６に固定される。これが、がた防止手段であり、この割カラー１８の固定位置を調節することによって、支持軸方向の天秤間のがたを防止することができる。さらに、長期的に使用したときに、可動ブロック３の内壁や天秤６の摩耗によってがたが生じても、割カラー１８の固定位置を調節し直すことでがたをなくすことできる。
【００１７】
このようにして、複数の天秤６が一体化部材である天秤ブラケット１４に回動自在に支持されるとともに分離しないように一体化されている。この天秤ブラケット１４が可動ブロック３の切欠部３ａに嵌められ、雄ねじ２３で固定されるようになっている。このため、天秤機構５を、天秤ブラケット１４ごと簡単に着脱することができる。従って、例えば、天秤機構５、その背後にあるもの、又は、針棒４等の天秤機構５の下方にあるものが故障した場合であっても、これらを容易にメンテナンスすることができる。
【００１８】
なお、本発明は前記実施形態の構成に限定されず、例えば以下のように、発明の趣旨から逸脱しない範囲で適宜変更して具体化することもできる。
【００１９】
（１）がた防止手段として、支持軸の端部に嵌装したスプリングワッシャーを、複数の天秤間のがたをなくすように該天秤を押さえた状態で設けること。
（２）各天秤を一本の支持軸で天秤ブラケットに固定するのではなく、各天秤ごとに支持軸を設け、個別に天秤ブラケットに固定すること。
（３）複数の天秤をいくつかの天秤ごとにグループ分けし、天秤を該グループごとに複数の天秤ブラケットで一体化すること。
【００２０】
【発明の効果】
以上詳述したように、請求項１の発明に係るミシンの天秤機構によれば、天秤等のメンテナンス時、可動ブロックの正面側から天秤ブラケットごと簡単に着脱することができる。
【００２１】
また、請求項２の発明に係るミシンの天秤機構によれば、請求項１の発明による上記効果に加え、天秤間のがたを防止することができ、さらに、長期的に使用したときに、可動ブロックの内壁や天秤の摩耗によってがたが生じても、割カラーの固定位置を調節し直すことでがたをなくすことができる。
【図面の簡単な説明】
【図１】本発明を具体化した実施形態のミシンの天秤機構の正面図である。
【図２】図１のＩＩ−ＩＩ線断面図である。
【図３】図２のＩＩＩ−ＩＩＩ線断面図である。
【図４】同天秤機構の取付け方法を示す正面図である。
【図５】同天秤機構の分解斜視図である。
【図６】従来の天秤機構の断面を示す平面図である。
【符号の説明】
２    ヘッド本体
３    可動ブロック
４    針棒
５    天秤機構
６    天秤
９    針
１４    天秤ブラケット
１５    支持軸
１８    割カラー
【図１】
0003829206.tif 000002
【図２】
0003829206.tif 000003
【図３】
0003829206.tif 000004
【図４】
0003829206.tif 000005
【図５】
0003829206.tif 000006
【図６】
0003829206.tif 000007